(57)【要約】【課題】商品（試供品）や注文書、商品の取り扱い説明書、アンケート用紙等の封入する書類の取り揃え作業やこれらの封入作業なしに商品（試供品）を容易に配送することができるような、商品配送用ブリスターパックの提供を課題とする。【解決手段】商品を収容するブリスターケースを台紙に取付けてなるブリスターパックにおいて、前記台紙の外面に、その商品の郵送または配送に必要な事項を表示する配送表示部を設け、該配送表示部には商品の郵送先、配送先を含む記入欄が印刷されているか、または商品の郵送または配送伝票が貼着されていることを特徴とする商品配送用ブリスターパック。【選択図】なし【特許請求の範囲】
【請求項１】
商品を収容するブリスターケースを台紙に取付けてなるブリスターパックにおいて、前記台紙の外面に、その商品の郵送または配送に必要な事項を表示する配送表示部を設け、該配送表示部には商品の郵送先、配送先を含む記入欄が印刷されているか、または商品の郵送または配送伝票が貼着されていることを特徴とする商品配送用ブリスターパック。
【請求項２】
前記ブリスターパックは、容器部の開口周縁にフランジ部が形成されたブリスターケースと、二層または三層以上の多層に折り重ねもしくは積み重ねられた台紙からなり、その正面側台紙片には窓穴が穿設されており、前記ブリスターケースの容器部を前記窓穴に挿入し、前記フランジ部を前記正面側台紙片及び背面側台紙片の間に挟持してなることを特徴とする請求項１記載の商品配送用ブリスターパック。
【発明の詳細な説明】
【０００１】
【発明の属する技術分野】
本発明は、小物商品を収納するブリスターパックでありながら、その商品の郵送物または配送物としても利用することができる商品配送用ブリスターパックに関する。
【０００２】
【従来技術】
近年、多くの企業が、販売促進を目的として、商品（試供品）を顧客に配送している。
【０００３】
商品（試供品）を顧客に郵送または配送する際、図３に示したように、送り手側（企業）は、人手により封筒２３やダンボール２４等の中に、商品（試供品）２５や、商品の取り扱い説明書２６、商品の効能書２７、注文書２８、及びアンケート用紙２９等を入れ、封筒２３やダンボール２４等を封緘した後、その表面に郵送先または配送先等の、郵送または配送に必要な事項を記載するか、または商品（試供品）２５の郵送または配送伝票を貼着して顧客に郵送または配送している。そのため、送り手側は、封筒２３またはダンボール２４の中に入れる商品（試供品）２５や、商品の取り扱い説明書２６、商品の効能書２７、注文書２８、及びアンケート用紙２９等の取り揃え作業やこれらを封筒２３、ダンボール２４の中に封入する作業等に非常に手間がかかり、さらにこれらは、郵送もしくは配送する費用が高いという問題があった。
【０００４】
一方、ライター、ファンシーグッズ等の小物商品の店内販売には、それら商品を透明なケースに収容するところのブリスターパックが従来より広く使用されている。
【０００５】
【本発明が解決しようとする課題】
本発明は、かかる従来の事情を考慮してなされたものであって、その課題とするところは、商品（試供品）や注文書、商品の取り扱い説明書、アンケート用紙等の封入する物の取り揃え作業やこれらの封入作業なしに商品（試供品）を容易に郵送または配送することができるような、商品配送用ブリスターパックの提供である。
【０００６】
【課題を解決するための手段】
本発明は、前記課題を解決するために、工夫されたものであり、より詳しくは、商品を収容するブリスターケースを台紙に取付けてなるブリスターパックにおいて、前記台紙の外面に、その商品の郵送または配送に必要な事項を表示する配送表示部を設け、該配送表示部には商品の郵送先、配送先を含む記入欄が印刷されているか、または商品の郵送または配送伝票が貼着されていることを特徴とする商品配送用ブリスターパックに関する。
【０００７】
前記ブリスターパックとしては、従来から用いられているような、ブリスターケースが、台紙の正面全体を覆い、ブリスターケースの左右及び上部の端縁部分が台紙の背面側に折り返され、更に台紙とブリスターケースがステープルで固定されているブリスターパックを用いても良い。しかしながらこのようなブリスターパックでは、台紙の表面及び裏面の２面にしか印刷をする場所がなく、しかも台紙の表面には、商品の購買意欲を促進するために商品の宣伝等を印刷するため、その他のことを印刷できるのは、裏面の１面のみであり、台紙の片面に発注書、そしてその裏面に返信用の宛先を印刷することはできない。したがって、このような構造からなる商品配送用ブリスターパックは、台紙を商品発注のための返信用ハガキとしても兼用する構成を採ることは、台紙スペースの関係上難しい。
【０００８】
そこで本発明の好ましい態様のものが有利である。それは、前記ブリスターパックは、容器部の開口周縁にフランジ部が形成されたブリスターケースと、二層または三層以上の多層に折り重ねもしくは積み重ねられた台紙からなり、その正面側台紙片には窓穴が穿設されており、前記ブリスターケースの容器部を前記窓穴に挿入し、前記フランジ部を前記正面側台紙片及び背面側台紙片の間に挟持してなることを特徴とする商品配送用ブリスターパックに関する。
【０００９】
かかる商品配送用ブリスターパックは、台紙として、二層または三層以上の多層に折り重ねもしくは積み重ねられた台紙が使用されているので、台紙の外側の２面及び内側の２面の合計４面以上に印刷を行なうことができ、そのため台紙の内面に発注書、そしてその裏面に返信用の宛先を印刷することができ、台紙を商品発注のための返信用ハガキとして利用することができる。
【発明の実施の形態】
以下、本発明を図面を参照して詳しく説明する。図１は、本発明の商品配送用ブリスターパックの１つの態様を示す斜視図（正面側から見た時の斜視図（ａ）並びに背面側から見た時の斜視図（ｂ））である。図２は、図１の商品配送用ブリスターパックの作製方法を示す説明図である。
【００１０】
図１、図２に図示する商品配送用ブリスターパック１は、商品（試供品）１５を収容するブリスターケース２と、このブリスターケース２を固定する二層に折り重ねられた台紙５で構成されている。
【００１１】
ブリスターケース２は、商品（試供品）１５が収容される容器部３の開口周縁にフランジ部４が形成された透明なプラスチック製ケースである。
【００１２】
台紙５は、１箇所の角部１４において一方の台紙片が切除された台紙５を二層に折り重ねた紙製のものであり、台紙５の正面側台紙片６の外面９には、商品の郵送または配送に必要な事項を表示するための配送表示部１０が設けられており、配送表示部１０には、商品の郵送先、配送先を含む記入欄１１が印刷されているか、または商品の郵送、または配送伝票１２が貼着されている。さらに正面側台紙片６の配送表示部１０の下方にはブリスターケース２の容器部３を挿入するための、容器部３に相当する形状の窓穴１３が穿設されている。この窓穴１３はその縁部でブリスターケース２のフランジ部４が係止しうる寸法となっている。また正面側台紙片６の内面８（図２）及び外面９には、商品の取り扱い説明書１６、効能書１７等が印刷されており、さらに、商品（試供品）１５を取り出した後、背面側台紙片７を切取り線２０に沿って切り取ると、商品購入のための返信ハガキとなるよう、その内面８（図２）には返信用の宛先１８（図２）が、及びその外面には注文書１９が印刷されている。またブリスターケース２の容器部３が正面側台紙片６の窓穴１０に通されそして台紙５の正面側台紙片６及び背面側台紙片７の間にブリスターケース２のフランジ部４が挟持され貼り合わされている。
【００１３】
図１の商品配送用ブリスターパック１の作製方法を図２を用いて説明する。まず、厚紙等の紙に、その厚紙が台紙５として形成された時、正面側台紙片６の外面９となる部分に、配送表示部１０を設け、その部分に商品の郵送先または配送先を含む記入欄１１を印刷し、背面側台紙片７として形成される部分に、返信用の宛先１８、及び注文書１９を印刷し、更にそれ以外の部分に、商品の取り扱い書１６、効能書１７等を印刷する。次にその厚紙が台紙５として形成され、折り重ねられた時、互いに接触する全面（内面８）に熱圧着フィルム（シークレットフィルム）２２を貼り合わせる。台紙熱圧着フィルム（シークレットフィルム）２２としては、例えば、ケーディーケー株式会社製のハガキフィルムを使用し得る。次に正面側台紙片６の外面９に設けられる、配送表示部１０より下方の部分において、厚紙を窓穴１３の形状に打ち抜き、台紙５を形成する。そしてブリスターケース２の容器部３内に商品（試供品）１５を収納し、その容器部３を、台紙５の窓穴１３に挿入し、背面側台紙片７を、その内面８を内側とし台紙中央の水平線の折り目２１に基づいて正面側台紙片６の上に二層に折り重ね、加熱することにより、フランジ部４を台紙５の正面側台紙片６及び背面側台紙片７の間に挟持させるとともに、正面側台紙片６及び背面側台紙片７を貼着させる。
【００１４】
また、商品配送用ブリスターパック１の製造過程において、上記のように配送表示部１０に、商品の郵送先、配送先を含む記入欄１１をあらかじめ印刷するのではなく、ブリスターパック１の製造後、配送表示部１０に、商品の郵送、または配送伝票１２を貼着させても良い。
【００１５】
このように、前記形態によれば、商品（試供品）１５が収納され、台紙５に商品の取り扱い説明書１６、効能書１７、及び返信用の注文書１９等が印刷されているブリスターパック１を、そのまま郵送または配送できるので、商品（試供品）１５や商品の取り扱い書１６、効能書１７、注文書１９等の取り揃え作業、及びこれらを封筒、ダンボールの中に封入する作業を行なう必要がなく、更にダンボールや封筒に封入し郵送または配送するよりも、安く郵送または配送することができる。
【００１６】
また、商品の取り扱い書１６、効能書１７、注文書１９だけでなく、保証書、アンケート用紙等のより多くの書類も一緒に郵送または配送したい場合には、より多くの面を有する三層以上の多層に折り重ねもしくは積み重ねられた台紙５に保証書、アンケート用紙等のより多くの情報を印刷し、これを用いて商品配送用ブリスターパック１を製造する。
【００１７】
【発明の効果】
以上説明したように本発明の商品配送用ブリスターパックによれば、台紙の外面に商品（試供品）の郵送、配送に必要な事項が表示され、かつそこ以外の台紙の外面、及び内面には商品の取り扱い書、効能書、返信用の宛先、及び注文書が印刷され、更にブリスターケースには、商品（試供品）が収納されるので、商品（試供品）、商品の取り扱い書、効能書、注文書等の封入する物の取り揃え作業、及びこれらを封筒、ダンボールに封入する作業を行なう必要なく、商品（試供品）を郵送または配送することができる。またブリスターパックをそのまま郵送、配送することができるので、商品（試供品）を封筒またはダンボールに封入し、郵送、配送するよりも、安く郵送、配送することができるという効果が得られる。
【図面の簡単な説明】
【図１】本発明の商品配送用ブリスターパックを正面側から見た時の斜視図（ａ）並びに背面側から見た時の斜視図（ｂ）をそれぞれ示す図である。
【図２】本発明の商品配送用ブリスターパックの作製方法を示す図である。
【図３】従来の、商品（試供品）の配送方法を示す図である。
【符号の説明】
１．商品配送用ブリスターパック  ２．ブリスターケース  ３．容器部
４．フランジ部  ５．台紙  ６．正面側台紙片  ７．背面側台紙片  ８．内面  ９．外面  １０．配送表示部  １１．商品の郵送先、配送先を含む記入欄
１２．商品の郵送または配送伝票  １３．窓穴  １４．角部  １５．商品（試供品）  １６．取り扱い説明書  １７．効能書  １８．返信用の宛先  １９．注文書  ２０．切取り線  ２１．折り目  ２２．熱圧着フィルム（シークレットフィルム）２３．封筒  ２４．ダンボール  ２５．商品（試供品）  ２６．取り扱い説明書  ２７．効能書  ２８．注文書  ２９．アンケート用紙
【図１】
2004276950.tif 000002
【図２】
2004276950.tif 000003
【図３】
2004276950.tif 000004